(57)【要約】【課題】構造が簡単で、取付けが容易な筋違い下端部取付金具を備えた天井下地の振れ止め装置を提供する。【解決手段】天井下地の隣り合う吊りボルト間に、野縁受け３と直交する鉛直面に沿って振れ止め用の筋違いＢを配置し、筋違いＢの上端部を隣り合う一方の吊りボルトの上端部に取り付け、筋違いＢの下端部を他方の吊りボルトに隣接する位置で取付金具８を介して野縁受け３に取り付けるようにした振れ止め装置において、取付金具８は、野縁受け３に上方より嵌合されるように一対の側板部１８，１９と上板部２０とで縦断面下向きコ字形に形成されたコ字形枠部８ａと、コ字形枠部８ａの一方の側板部１８の一側端縁からこの側板部１８に対し直角に延設されると共にこの側板部１８よりも上方へ長く延設された筋違い取付用板部８ｂとからなる。【選択図】図５
2008255631.tif 000002
【特許請求の範囲】
【請求項１】
建物躯体の天井部より垂下した吊りボルトの下端部にハンガーを取り付け、このハンガーで野縁受けを支持し、この野縁受けに天井材取付用の野縁を支持するようにしてなる天井下地の隣り合う吊りボルト間に、野縁受けと直交する仮想鉛直面に沿って振れ止め用の筋違いを配置し、この筋違いの上端部を隣り合う一方の吊りボルトの上端部に取り付け、筋違いの下端部を他方の吊りボルトに隣接する位置で取付金具を介して野縁受けに取り付けるようにした振れ止め装置において、
前記取付金具は、野縁受けに上方より嵌合されるように一対の側板部と上板部とで縦断面下向きコ字形に形成されたコ字形枠部と、コ字形枠部の一方の側板部の一側端縁からこの側板部に対し直角に延設されると共にこの側板部よりも上方へ長く延設された筋違い取付用板部とからなるもので、コ字形枠部を野縁受けに上方より嵌合して野縁受けに対しビス止めし、筋違い取付用板部を筋違いの下端部にビス止めするようにしたことを特徴とする天井下地の振れ止め装置。
【請求項２】
前記取付金具のコ字形枠部には両側板部の対向する位置にビス孔を設け、筋違い取付用板部には上端部側に複数のビス孔を設けてなることを特徴とする請求項１に記載の天井下地の振れ止め装置。
【発明の詳細な説明】
【技術分野】
【０００１】
本発明は、天井下地の隣り合う吊りボルト間に振れ止め用の筋違いを入れるようにした天井下地の振れ止め装置に関するもので、特に、天井下地の隣り合う吊りボルト間に、野縁受けと直交する仮想鉛直面に沿って振れ止め用の筋違いを配置し、この筋違いの上端部を隣り合う一方の吊りボルトの上端部に取り付け、筋違いの下端部を取付金具を介して野縁受けに取り付けるようにした振れ止め装置に関する。
【背景技術】
【０００２】
振れ止め用の筋違いには、野縁受けと平行する鉛直面に沿って配置される筋違いと、野縁受けと直交する鉛直面に沿って配置される筋違いとがあり、吊りボルトは、そのような２種類の筋違いによって、地震発生の際に有効に振れ止めがなされるようになっている。野縁受けと直交する鉛直面に沿って配置される筋違いの上端部を吊りボルトの上端部に取り付ける取付金具には、構造が簡単で取付け易いものが従来より種々提供されているが、その筋違いの下端部を野縁受けに取り付ける取付金具としては、特許公報等の具体的な公知文献を挙げることかできないが、従来の金具は、構造が複雑で、使用の際の取付けに手間がかかって、振れ止め用筋違いの取付施工能率を悪くするという問題がある。
【発明の開示】
【発明が解決しようとする課題】
【０００３】
本発明は、構造が簡単で安価に製作できると共に、野縁受け及び筋違いへの取付けが容易な筋違い下端部取付金具を備えた天井下地の振れ止め装置を提供することを目的としている。
【課題を解決するための手段】
【０００４】
上記課題を解決するための手段を、後述する実施形態の参照符号を付して説明すると、請求項１に係る発明は、建物躯体の天井部Ｓより垂下した吊りボルト１の下端部にハンガー２を取り付け、このハンガー２で野縁受け３を支持し、この野縁受け３に天井材取付用の野縁５を支持するようにしてなる天井下地の隣り合う吊りボルト１，１間に、野縁受け３と直交する仮想鉛直面に沿って振れ止め用の筋違いＢを配置し、この筋違いＢの上端部を隣り合う一方の吊りボルト１の上端部に取り付け、筋違いＢの下端部を他方の吊りボルト１に隣接する位置で取付金具８を介して野縁受け３に取り付けるようにした振れ止め装置において、
前記取付金具８は、野縁受け３に上方より嵌合されるように一対の側板部１８，１９と上板部２０とで縦断面下向きコ字形に形成されたコ字形枠部８ａと、コ字形枠部８ａの一方の側板部１８の一側端縁からこの側板部１８に対し直角に延設されると共にこの側板部１８よりも上方へ長く延設された筋違い取付用板部８ｂとからなるもので、コ字形枠部８ａを野縁受け３に上方より嵌合して野縁受け３対しビス２３止めし、筋違い取付用板部８ｂを筋違いＢの下端部にビス２４止めするようにしたことを特徴とする。
【０００５】
請求項２は、請求項１に記載の天井下地の振れ止め装置において、前記取付金具８のコ字形枠部８ａには両側板部１８，１９の対向する位置にビス孔２１を設け、筋違い取付用板部８ｂには上端部側に複数のビス孔２２を設けてなることを特徴とする。
【発明の効果】
【０００６】
上記解決手段による発明の効果を、後述する実施形態の参照符号を付して説明すると、請求項１に係る発明によれば、振れ止め装置の筋違い下端部取付金具８は、一対の側板部１８，１９と上板部２０とで縦断面下向きコ字形に形成されたコ字形枠部８ａと、一方の側板部１８の一側端縁から側板部１８に対し直角に延設されると共に側板部１８より上方へ長く延設された筋違い取付用板部８ｂとで構成される、簡単な構造のものであるから、製作が容易でコストの低廉化を図ることができる一方、取付けにあたっては、コ字形枠部８ａを野縁受け３に上方より嵌合して野縁受け３対しビス２３止めし、筋違い取付用板部８ｂを筋違いＢの下端部にビス２４止めすればよいから、筋違いＢ及び野縁受け３に対する取付けが簡単容易となり、振れ止め用筋違いの取付施工能率を向上できる。
【０００７】
請求項２に係る発明によれば、筋違い下端部取付金具８のコ字形枠部８ａに、両側板部１８，１９の対向する位置にビス孔２１を設け、筋違い取付用板部８ｂには上端部側に複数のビス孔２２を設けているから、筋違いＢ及び野縁受け３に対する取付け作業を一層簡単容易に行うことができる。
【発明を実施するための最良の形態】
【０００８】
以下に本発明の好適実施形態を図面に基づいて説明すると、図１は天井下地を示す斜視図であり、図２は天井下地の隣り合う吊りボルト間に野縁受けと平行する仮想鉛直面に沿って配置された振れ止め用筋違いＡの正面図、図３は天井下地の隣り合う吊りボルト間に野縁受けと直交する仮想鉛直面に沿って配置された振れ止め用筋違いＢの正面図である。この天井下地は、建物躯体の天井スラブ（天井部）Ｓより垂下された吊りボルト１の下端部にハンガー２を取り付け、このハンガー２で野縁受け３を支持し、この野縁受け３にクリップ４（図１参照）を介して天井材取付用の野縁５を支持し、この野縁５に天井材６を支持するようにしたものである。
【０００９】
図１及び図２に示すように、天井下地における隣り合う吊りボルト１，１間には、野縁受け３と平行する仮想鉛直面に沿って振れ止め用の筋違いＡが配置され、この筋違いＡの上端部は、上端部取付金具７によって隣り合う吊りボルト１，１の一方の吊りボルト１の上端部に取り付けられ、この筋違いＡの下端部は、他方の吊りボルト１に隣接する位置で野縁受け３にビス止めされている。
【００１０】
また図１及び図３に示すように、天井下地における隣り合う吊りボルト１，１間には、野縁受け３と直交する仮想鉛直面に沿って振れ止め用の筋違いＢが配置され、この筋違いＢの上端部は、筋違い上端部取付金具７によって隣り合う吊りボルト１，１の一方の吊りボルト１の上端部に取り付けられ、この筋違いＢの下端部は、他方の吊りボルト１に隣接する位置で筋違い下端部取付金具８を介して野縁受け３にビス止めされている。
【００１１】
図４は本発明に係る筋違い下端部取付金具８を示すもので、(a) ，(b) は同じ取付金具８を見る角度を変えて図示した斜視図である。この図４の(a) ，(b) から分かるように、筋違い下端部取付金具８は、野縁受け３に上方より嵌合されるように一対の側板部１８，１９と上板部２０とで縦断面下向きコ字形に形成されたコ字形枠部８ａと、このコ字形枠部８ａの一方の側板部１８の一側端縁から側板部に対し直角に延設されると共に、側板部１８ａよりも上方へ長く延設された筋違い取付用板部８ｂとによって構成される。
【００１２】
この筋違い下端部取付金具８のコ字形枠部８ａには両側板部１８，１９の対向する位置にビス孔２１，２１が複数設けられ、そして筋違い取付用板部８ｂには上端部側にビス孔２２が複数設けられている。この取付金具８は、１枚の鋼板材を切断、穴あけ及びプレス加工することによって簡単容易に製作できるものである。
【００１３】
また、コ字形枠部８ａの側板部１８，１９に設けられるビス孔２１は、タッピングタイプ又はドリルタイプのビス２３の外径より小さい内径の孔とされ、また筋違い取付用板部８ｂに設けられるビス孔２２は、同様なタッピングタイプ又はドリルタイプのビス２４の外径より小さい内径の孔とされる。
【００１４】
筋違い上端部取付金具７はどのような構造のものでもよいが、ここでは図６に示すような構造の取付金具を使用するものとする。即ち、図６に示す筋違い上端部取付金具７は、主板部１０の下端側に主板部１０に対し垂直で正面視逆ハの字状に突出する一対のネジ孔１１ａ，１２ａ付き斜板部１１，１２を設け、主板部１０の中央部片側には一方の斜板部８に近い側から吊りボルト１を抱持する吊りボルト抱持片１３を突設してなる金具本体１４と、振れ止め用筋違いＡの上端部にビス１６で基端部１５ｏが取り付けられ且つ先端部１５ａが金具本体１４の斜板部１１，１２のネジ孔１１ａ，１２ａに螺入される取付ボルト１５とからなるもので、金具本体１４の一方の斜板部１１のネジ孔１１ａに螺入した取付ボルト１５の先端部１５ａを、吊りボルト１を抱持した吊りボルト抱持片１３に当接させ、他方の斜板部１２のネジ孔１２ａに螺入した取付ボルト１５の先端部１５ａを吊りボルト１のネジ部に食い込ませるようにしている。
【００１５】
次に、隣り合う吊りボルト１，１間に野縁受け３と直交する仮想鉛直面に沿って配置される振れ止め用筋違いＢの取付施工を、図３に示すように中央部の吊りボルト１を挟んでその左側の吊りボルト１と右側の吊りボルト１との間に２つの筋違いＢ，Ｂを山形に配設する場合について説明すると、先ず、各筋違いＢの上端部に取付金具７の取付ボルト１５をビス１６で取り付け（図６参照）、そして左右両筋違いＢ，Ｂの夫々上端側の取付ボルト１５，１５を取付金具７の金具本体１４の斜板部１１，１２に浅くねじ込んだ状態で、この金具本体１４を吊りボルト１の下端部に対し吊りボルト抱持片１３により保持させ、こうして金具本体５を吊りボルト抱持片１３を介して吊りボルト１に保持させた状態で、左右両筋違いＢ，Ｂを手で持って金具本体１４を吊りボルト１に沿って上方へスライドさせ、吊りボルト１の上端所要位置で各筋違いＢを取付ボルト１５の軸線周りに回転させて取付ボルト１５をねじ込むことにより、両取付ボルト１５，１５と取付金具７の金具本体１４と吊りボルト１とを一体化する。
【００１６】
上記のように中央部の吊りボルト１を挟んでその左右両側の筋違いＢ，Ｂの上端部を、筋違い上端部取付金具７である取付ボルト１５，１５と金具本体１４を介して吊りボルト１の上端部に取り付けた後、左右両筋違いＢ，Ｂの夫々下端部を、左右の吊りボルト１，１に夫々隣接する位置で取付金具８，８を介して野縁受け３，３に取り付ける。
【００１７】
筋違い下端部取付金具８による筋違いＢ下端部の取付けにあたって、先ず、図３に示す中央部側の吊りボルト１を挟んで左側の筋違いＢについては、図５の(a) に示すように、取付金具８のコ字形枠部８ａをチャンネル材からなる野縁受け３にその上方より嵌合し、このコ字形枠部８ａを野縁受け３に沿って適宜スライドさせて所要の位置で筋違い取付用板部８ｂを、野縁受け３の外面側に当て付けて位置決めし、そしてタッピングタイプ又はドリルタイプのビス２３を、コ字形枠部８ａの一方の側板部１８のビス孔２１から野縁受け３を貫通させて他方の側板部１９のビス孔２１にねじ込むことにより、コ字形枠部８ａを野縁受け３に固定し、更に筋違い取付用板部８ｂのビス孔２２から野縁受け３に対しタッピングタイプ又はドリルタイプのビス２４をねじ込めばよい。
【００１８】
また、図３に示す中央部側の吊りボルト１を挟んで右側の筋違いＢについても同様で、図５の(b) に示すように、取付金具８のコ字形枠部８ａをチャンネル材からなる野縁受け３にその上方より嵌合し、このコ字形枠部８ａを野縁受け３に沿って適宜スライドさせて所要位置で筋違い取付用板部８ｂを野縁受け３の外面側に当て付けて位置決めし、そしてタッピングタイプ又はドリルタイプのビス２３を、コ字形枠部８ａの一方の側板部１９のビス孔２１から野縁受け３を貫通させて他方の側板部１８のビス孔２１にねじ込むことにより、コ字形枠部８ａを野縁受け３に固定し、また筋違い取付用板部８ｂのビス孔２２から野縁受け３に対しタッピングタイプ又はドリルタイプのビス２４をねじ込む。
【００１９】
上記のようにして、中央部の吊りボルト１を挟んでその左右両振れ止め用筋違いＢ，Ｂの上端部を取付金具７によって中央部の吊りボルト１の上端部に取り付け、左右両筋違いＢ，Ｂの下端部を夫々取付金具８によって左右両側の吊りボルト１，１の下端部に隣接する位置で野縁受け３，３に取り付ける。
【００２０】
この実施形態では、筋違いＢの上端部は図６に示すような筋違い上端部取付金具７によって吊りボルト１の上端部に取り付けるようにしたが、筋違い上端部取付金具７については図示のような取付金具７に限るものではなく、それ以外の他の種々の取付金具によって取り付けることができる。
【００２１】
以上の実施形態の説明から分かるように、振れ止め装置の筋違い下端部取付金具８は、一対の側板部１８，１９と上板部２０とで縦断面下向きコ字形に形成されたコ字形枠部８ａと、一方の側板部１８の一側端縁から側板部１８に対し直角に延設されると共に側板部１８よりも上方へ長く延設された筋違い取付用板部８ｂとによって構成される簡単な構造の簡単なものであるから、製作が容易でコストの低廉化を図ることができる。また、取付けにあたり、コ字形枠部８ａを野縁受け３に上方より嵌合して野縁受け３対しビス２３止めし、筋違い取付用板部８ｂを筋違いＢの下端部にビス２４止めすればよいから、筋違いＢ及び野縁受け３に対する取付けが簡単容易となり、振れ止め用筋違いの取付施工の能率向上を図るこができる。
【００２２】
また、この筋違い下端部取付金具８ではコ字形枠部８ａに、両側板部１８，１９の対向する位置にビス孔２１を設け、筋違い取付用板部８ｂには上端部側に複数のビス孔２２を設けているから、筋違いＢ及び野縁受け３に対する取付け作業が一層簡単容易となる。
【図面の簡単な説明】
【００２３】
【図１】天井下地を示す斜視図である。
【図２】天井下地の隣り合う吊りボルト間に野縁受けと平行する鉛直面に沿って配置された振れ止め用筋違いの正面図である。
【図３】天井下地の隣り合う吊りボルト間に野縁受けと直交する鉛直面に沿って配置された振れ止め用筋違いの正面図である。
【図４】(a) ，(b) は本発明に係る筋違い下端部取付金具を、見る角度を変えて図示した斜視図である。
【図５】(a) ，(b) は夫々筋違い下端部取付金具の取付状態を示す斜視図である。
【図６】筋違い上端部取付金具の使用状態を示す斜視図である。
【符号の説明】
【００２４】
Ｓ            天井スラブ（天井部）
Ｂ            振れ止め用筋違い
１            吊りボルト
２            ハンガー
３            野縁受け
７            筋違い上端部取付金具
８            筋違い下端部取付金具
８ａ          コ字形枠部
８ｂ          筋違い取付用板部
１８，１９    コ字形枠部の側板部
２０          コ字形枠部の上板部
２１，２２    ビス孔
【図１】
2008255631.tif 000003
【図２】
2008255631.tif 000004
【図３】
2008255631.tif 000005
【図４】
2008255631.tif 000006
【図５】
2008255631.tif 000007
【図６】
2008255631.tif 000008